(57)【特許請求の範囲】
【請求項１】
室外熱交換器を備えた室外ユニットと、室内熱交換器を備えた室内ユニットと、これらの室外ユニット及び室内ユニットを制御する制御装置とを有する空気調和装置において、
上記室外ユニットには、上記室外熱交換器内を流れる冷媒の温度を検出する室外熱交換器温度センサが設置され、
上記室内ユニットには、上記室内熱交換器内を流れる冷媒の温度を検出する室内熱交換器温度センサが設置され、
上記制御装置は、冷・暖房切換可能機種と冷房専用機種に共用な制御基板を備え、この制御基板に設けられた切換手段により、この制御基板が上記いずれか一方の機種用に設定され、
更に、冷房専用機種の空気調和装置の場合、上記制御装置は、暖房運転指令を入力したとき、運転開始後所定時間経過した時点における、室内熱交換器温度センサによる温度検出値が室外熱交換器温度センサによる温度検出値よりも低いときに、現在の運転が異常であると判断し、
前記異常の検出時には、空気調和装置の運転を停止して警報を出力し、あるいは、空気調和装置をサーモＯＦＦ運転させるとともに、冷・暖房切換可能機種と冷房専用機種に共用な制御基板における機種設定の過誤を含む前記異常を使用者に知らせる、
ことを特徴とする空気調和装置。
【請求項２】
室外熱交換器を備えた室外ユニットと、室内熱交換器を備えた室内ユニットと、これらの室外ユニット及び室内ユニットを制御する制御装置とを有する空気調和装置において、
上記室外ユニットには、上記室外熱交換器内を流れる冷媒の温度を検出する室外熱交換器温度センサが設置され、
上記室内ユニットには、上記室内熱交換器内を流れる冷媒の温度を検出する室内熱交換器温度センサが設置され、
冷・暖房切換可能機種の空気調和装置の場合、上記制御装置は、冷房運転指令を入力したとき、運転開始後所定時間経過した時点における、室内熱交換器温度センサによる温度検出値が室外熱交換器温度センサによる温度検出値よりも高いときに、現在の運転が異常であると判断し、
前記異常の検出時には、空気調和装置の運転を停止して警報を出力し、あるいは、空気調和装置をサーモＯＦＦ運転させて前記異常を使用者に知らせる、
ことを特徴とする空気調和装置。
【請求項３】
室外熱交換器を備えた室外ユニットと、室内熱交換器を備えた室内ユニットと、これらの室外ユニット及び室内ユニットを制御する制御装置とを有する空気調和装置において、
上記室外ユニットには、上記室外熱交換器内を流れる冷媒の温度を検出する室外熱交換器温度センサが設置され、
上記室内ユニットには、上記室内熱交換器内を流れる冷媒の温度を検出する室内熱交換器温度センサが設置され、
冷・暖房切換可能機種の空気調和装置の場合、上記制御装置は、暖房運転指令を入力したとき、運転開始後所定時間経過した時点における、室内熱交換器温度センサによる温度検出値が室外熱交換器温度センサによる温度検出値よりも低いときに、現在の運転が異常であると判断し、
前記異常の検出時には、空気調和装置の運転を停止して警報を出力し、あるいは、空気調和装置をサーモＯＦＦ運転させて前記異常を使用者に知らせる、
ことを特徴とする空気調和装置。
【請求項４】
室外熱交換器を備えた室外ユニットと、室内熱交換器を備えた室内ユニットと、これらの室外ユニット及び室内ユニットを制御する制御装置とを有する空気調和装置において、
上記室外ユニットには、上記室外熱交換器内を流れる冷媒の温度を検出する室外熱交換器温度センサが設置され、
上記室内ユニットには、上記室内熱交換器内を流れる冷媒の温度を検出する室内熱交換器温度センサが設置され、
冷房専用機種の空気調和装置の場合、上記制御装置は、冷房運転指令を入力したとき、運転開始後所定時間経過した時点における、室内熱交換器温度センサによる温度検出値が室外熱交換器温度センサによる温度検出値よりも高いときに、現在の運転が異常であると判断し、
前記異常の検出時には、空気調和装置の運転を停止して警報を出力し、あるいは、空気調和装置をサーモＯＦＦ運転させて前記異常を使用者に知らせる、
ことを特徴とする空気調和装置。
【発明の詳細な説明】
【０００１】
【発明の属する技術分野】
本発明は、室外ユニット及び室内ユニットを制御装置が制御する空気調和装置に関する。
【０００２】
【従来の技術】
空気調和装置には、一般に、冷房運転と暖房運転とを択一に実施できる冷・暖房切換可能機種と、冷房運転のみしか実施できない冷房専用機種とがある。
【０００３】
また、空気調和装置における室外ユニット及び室内ユニットを制御する制御装置には、冷・暖房切換可能機種と冷房専用機種の両者に共用な制御基板を備えたものがある。このような制御装置では、制御基板に設けられた切換スイッチの操作により、当該制御基板が冷・暖房切換可能機種の空気調和装置用に設定されたり、冷房専用機種の空気調和装置用に設定される。
【０００４】
【発明が解決しようとする課題】
ところで、上述のような制御基板を冷房専用機種の空気調和装置における制御装置に搭載し、このとき制御基板の切換スイッチを誤って操作して、この制御基板を冷・暖房切換可能な空気調和装置用のものに設定してしまう場合がある。このような場合、上記制御装置が暖房運転指令を受け入れて空気調和装置を運転させても、当該空気調和装置は構造上冷房運転しか実施できないので、室内を暖房できない不具合を生ずる。
【０００５】
このような不具合は、空気調和装置の使用者が、暖房運転指令を出したにもかかわらず室温が上昇しないのは妙だというように人が判断していた。
【０００６】
また、空気調和装置における機種（冷・暖房切換可能機種または冷房専用機種）と、制御装置における制御基板の切換スイッチにより設定された機種とが一致している場合にも、冷房運転または暖房運転中に、四方弁などの部品の不良や冷媒量の不足などの冷凍サイクルの異常によって、室内が冷房または暖房されない場合がある。このときにも、上述のようにして、使用者が空気調和装置の運転の適否を判断していた。
【０００７】
上述の事情を考慮し、請求項１に記載の発明の目的は、冷・暖房切換可能機種と冷房専用機種に共用な制御基板を用いた制御装置における機種設定の過誤を迅速に検知できる空気調和装置を提供することにあり、また、請求項３に記載の発明の目的は、冷凍サイクルの異常を迅速に検知できる空気調和装置を提供することにある。
【０００８】
【課題を解決するための手段】
請求項１に記載の発明は、室外熱交換器を備えた室外ユニットと、室内熱交換器を備えた室内ユニットと、これらの室外ユニット及び室内ユニットを制御する制御装置とを有する空気調和装置において、上記室外ユニットには、上記室外熱交換器内を流れる冷媒の温度を検出する室外熱交換器温度センサが設置され、上記室内ユニットには、上記室内熱交換器内を流れる冷媒の温度を検出する室内熱交換器温度センサが設置され、
上記制御装置は、冷・暖房切換可能機種と冷房専用機種に共用な制御基板を備え、この制御基板に設けられた切換手段により、この制御基板が上記いずれか一方の機種用に設定され、更に、冷房専用機種の空気調和装置の場合、上記制御装置は、暖房運転指令を入力したとき、運転開始後所定時間経過した時点における、室内熱交換器温度センサによる温度検出値が室外熱交換器温度センサによる温度検出値よりも低いときに、現在の運転が異常であると判断し、前記異常の検出時には、空気調和装置の運転を停止して警報を出力し、あるいは、空気調和装置をサーモＯＦＦ運転させるとともに、冷・暖房切換可能機種と冷房専用機種に共用な制御基板における機種設定の過誤を含む前記異常を使用者に知らせる、ことを特徴とするものである。
【０００９】
請求項２に記載の発明は、室外熱交換器を備えた室外ユニットと、室内熱交換器を備えた室内ユニットと、これらの室外ユニット及び室内ユニットを制御する制御装置とを有する空気調和装置において、上記室外ユニットには、上記室外熱交換器内を流れる冷媒の温度を検出する室外熱交換器温度センサが設置され、上記室内ユニットには、上記室内熱交換器内を流れる冷媒の温度を検出する室内熱交換器温度センサが設置され、冷・暖房切換可能機種の空気調和装置の場合、上記制御装置は、冷房運転指令を入力したとき、運転開始後所定時間経過した時点における、室内熱交換器温度センサによる温度検出値が室外熱交換器温度センサによる温度検出値よりも高いときに、現在の運転が異常であると判断し、前記異常の検出時には、空気調和装置の運転を停止して警報を出力し、あるいは、空気調和装置をサーモＯＦＦ運転させて前記異常を使用者に知らせる、ことを特徴とするものである。
【００１０】
請求項３に記載の発明は、室外熱交換器を備えた室外ユニットと、室内熱交換器を備えた室内ユニットと、これらの室外ユニット及び室内ユニットを制御する制御装置とを有する空気調和装置において、上記室外ユニットには、上記室外熱交換器内を流れる冷媒の温度を検出する室外熱交換器温度センサが設置され、上記室内ユニットには、上記室内熱交換器内を流れる冷媒の温度を検出する室内熱交換器温度センサが設置され、冷・暖房切換可能機種の空気調和装置の場合、上記制御装置は、暖房運転指令を入力したとき、運転開始後所定時間経過した時点における、室内熱交換器温度センサによる温度検出値が室外熱交換器温度センサによる温度検出値よりも低いときに、現在の運転が異常であると判断し、前記異常の検出時には、空気調和装置の運転を停止して警報を出力し、あるいは、空気調和装置をサーモＯＦＦ運転させて前記異常を使用者に知らせる、ことを特徴とするものである。
【００１１】
請求項４に記載の発明は、室外熱交換器を備えた室外ユニットと、室内熱交換器を備えた室内ユニットと、これらの室外ユニット及び室内ユニットを制御する制御装置とを有する空気調和装置において、上記室外ユニットには、上記室外熱交換器内を流れる冷媒の温度を検出する室外熱交換器温度センサが設置され、上記室内ユニットには、上記室内熱交換器内を流れる冷媒の温度を検出する室内熱交換器温度センサが設置され、冷房専用機種の空気調和装置の場合、上記制御装置は、冷房運転指令を入力したとき、運転開始後所定時間経過した時点における、室内熱交換器温度センサによる温度検出値が室外熱交換器温度センサによる温度検出値よりも高いときに、現在の運転が異常であると判断し、前記異常の検出時には、空気調和装置の運転を停止して警報を出力し、あるいは、空気調和装置をサーモＯＦＦ運転させて前記異常を使用者に知らせる、ことを特徴とするものである。
である。
【００１４】
請求項１記載の発明には、次の作用がある。
【００１５】
冷房専用機種の空気調和装置において、暖房運転指令を入力したとき、運転開始後所定時間経過した時点における、室内熱交換器温度センサによる温度検出値が室外熱交換器温度センサによる温度検出値よりも低いときに、現在の運転が異常であると判断することから、異常検出時には、空気調和装置の運転を停止して警報を出力し、あるいは、空気調和装置をサーモＯＦＦ運転させるとともに、機種設定の過誤を含む異常を使用者に知らせることができる。
【００１６】
請求項２乃至４に記載の発明には、次の作用がある。
【００１７】
制御装置は、冷・暖房切換可能機種の空気調和装置の場合、冷房運転指令を入力したとき運転開始後所定時間経過した時点における室内熱交換器温度センサによる温度検出値が室外熱交換器温度センサによる温度検出値よりも高いときに、暖房運転指令を入力したとき運転開始後所定時間経過した時点における、室内熱交換器温度センサによる温度検出値が室外熱交換器温度センサによる温度検出値よりも低いときに、あるいは、冷房専用機種の空気調和装置の場合、冷房運転指令を入力したとき、運転開始後所定時間経過した時点における室内熱交換器温度センサによる温度検出値が室外熱交換器温度センサによる温度検出値よりも高いときに、現在の運転が異常であると判断し、前記異常の検出時には、空気調和装置の運転を停止して警報を出力し、あるいは、空気調和装置をサーモＯＦＦ運転させて前記異常を使用者に知らせることができる。
【００１８】
【発明の実施の形態】
以下、本発明の実施の形態を、図面に基づき説明する。
【００１９】
［Ａ］第一の実施の形態
図１は、本発明に係る空気調和装置の第一の実施の形態が適用された冷・暖房切換可能機種の空気調和装置を示す冷媒回路図である。
【００２０】
図１に示すように、空気調和装置１０は冷・暖房切換可能な機種であり、室外ユニット１１、室内ユニット１２及び制御装置１３を有してなり、室外ユニット１１の室外冷媒配管１４と室内ユニット１２の室内冷媒配管１５とが、連結配管２４、２５を介して連結されている。
【００２１】
室外ユニット１１は室外に設置され、室外冷媒配管１４に圧縮機１６が配設され、この圧縮機１６の吸込側にアキュムレータ１７が、吐出側に四方弁１８が室外冷媒配管１４を介してそれぞれ接続され、この四方弁１８に室外熱交換器１９が室外冷媒配管１４を介して接続されて構成される。室外熱交換器１９には、この室外熱交換器１９へ向かって送風する室外ファン２０が隣接して配置されている。
【００２２】
一方、室内ユニット１２は室内に設置され、室内冷媒配管１５に室内熱交換器２１が配設されると共に、室内冷媒配管１５において室内熱交換器２１近傍に電動膨張弁２２が配設されて構成される。上記室内熱交換器２１には、この室内熱交換器２１へ送風する室内ファン２３が隣接して配置されている。
【００２３】
上記室外ユニット１１には、室外熱交換器１９内を流れる冷媒の温度を検出する室外熱交換器温度センサ２６が設置される。また、上記室内ユニット１２には、室内熱交換器２１内を流れる冷媒の温度を検出する室内熱交換器温度センサ２７が設置される。
【００２４】
また、上記制御装置１３は、室外ユニット１１及び室内ユニット１２の運転を制御し、具体的には、室外ユニット１１における圧縮機１６、四方弁１８及び室外ファン２０、並びに室内ユニット１２における電動膨張弁２２、及び室内ファン２３をそれぞれ制御する。
【００２５】
制御装置１３により四方弁１８が切り換えられることにより、空気調和装置１０が冷房運転又は暖房運転に設定される。つまり、制御装置１３が四方弁１８を冷房側に切り換えたときには、冷媒が実線矢印の如く流れ、室外熱交換器１９が凝縮器に、室内熱交換器２１が蒸発器になって冷房運転状態となり、室内ユニット１２の室内熱交換器２１が室内を冷房する。また、制御装置１３が四方弁１８を暖房側に切り換えたときには、冷媒が破線矢印の如く流れ、室内熱交換器２１が凝縮器に、室外熱交換器１９が蒸発器になって暖房運転状態となり、室内ユニット１２の室内熱交換器２１が室内を暖房する。
【００２６】
また、制御装置１３は、室内ユニット１２の空調負荷に応じて、室内ユニット１２における電動膨張弁２２の開度を制御し、室内ユニット１２における室内ファン２３のファン駆動系を制御する。
【００２７】
また、制御装置１３は、サーモＯＮ運転時には圧縮機１６、室外ファン２０及び室内ファン２３を運転させ、サーモＯＦＦ運転時には室外ファン２０及び室内ファン２３を運転させつつ圧縮機１６を停止させる。
【００２８】
更に、制御装置１３は、冷・暖房切換可能機種と冷房専用機種に共用な制御基板（不図示）を用いて構成され、この制御基板に設けられた切換手段としての切換スイッチ（不図示）が空気調和装置１０の据付時などに操作されることにより、当該制御基板が上記いずれか一方の機種用に設定される。この空気調和装置１０の場合には、切換スイッチの操作により、制御基板は冷・暖房切換可能機種用に設定されるべきである。
【００２９】
そして、この制御装置１３は、運転開始後所定時間経過した時点、例えばサーモＯＮ運転開始後約１分経過した時点における、室内熱交換器温度センサ２７の温度検出値と室外熱交換器温度センサ２６の温度検出値とを比較して、空気調和装置１０の現在の運転の適否を判断する。つまり、制御装置１３は、冷房運転時には、室内熱交換器温度センサ２７の温度検出値が室外熱交換器温度センサ２６の温度検出値よりも低いかまたは等しいときにのみ空気調和装置１０の現在の運転が正常であると判断し、暖房運転時には、室内熱交換器温度センサ２７の温度検出値が室外熱交換器温度センサ２６の温度検出値よりも高いかまたは等しいときにのみ空気調和装置１０の現在の運転が正常であると判断する。
【００３０】
例えば、この空気調和装置１０の制御装置１３は、制御基板が冷・暖房切換可能機種用に適正に設定されている場合、冷房運転指令を入力したとき、サーモＯＮ運転から約１分経過した後における室内熱交換器温度センサ２７の温度検出値が室外熱交換器温度センサ２６の温度検出値よりも高いときには、現在の運転が異常であると判断する。このとき、制御装置１３は、空気調和装置１０の運転を停止して警報を出力したり、空気調和装置１０をサーモＯＦＦ運転として、室外ユニット１１の四方弁１８や制御装置１３の制御基板などの部品の不良、または室外ユニット１１と室内ユニット１２間を流れる冷媒量の不足等を修正させる動作を使用者に促す。
【００３１】
また、例えば、空気調和装置１０の制御装置１３は、制御基板が冷・暖房切換可能機種用に適正に設定されている場合、暖房運転指令を入力したとき、サーモＯＮ運転から約１分経過した後における室内熱交換器温度センサ２７の温度検出値が室外熱交換器温度センサ２６の温度検出値よりも低いときに、現在の運転が異常であると判断する。この場合も、制御装置１３は、空気調和装置１０の運転を停止して警報を出力したり、空気調和装置１０をサーモＯＦＦ運転として、室外ユニット１１の四方弁１８や制御装置１３の制御基板などの部品の不良、または室外ユニット１１と室内ユニット１２間を流れる冷媒量の不足等を修正させる動作を使用者に促す。
【００３２】
尚、制御基板が冷房専用機種用に過誤設定された場合には、制御装置１３は、暖房運転指令を入力してもこれを受け入れることができず、空気調和装置１０を運転させることがない。
【００３３】
従って、上記実施の形態によれば、次の効果▲１▼を奏する。
【００３４】
▲１▼制御装置１３は、サーモＯＮ運転開始後所定時間（例えば１分）経過した時点における室内熱交換器温度センサ２７による温度検出値と室外熱交換器温度センサ２６による温度検出値とを比較して、現在の空気調和装置１０の運転の適否を判断することから、室外ユニット１１の四方弁１８や制御装置１３の制御基板などの不良、或いは室外ユニット１１と室内ユニット１２間を流れる冷媒量の不足などの冷凍サイクルの異常を迅速に検知することができる。
【００３５】
［Ｂ］第二の実施の形態
図２は、本発明に係る空気調和装置の第二の実施の形態が適用された冷房専用機種の空気調和装置を示す冷媒回路図である。この第二の実施の形態において、前記第一の実施の形態と同様な部分は、同一の符号を付すことにより説明を省略する。
【００３６】
この第二の実施の形態の空気調和装置３０は冷房専用機種の空気調和装置であり、室外ユニット３１に四方弁１８が存在せず、空気調和装置３０の運転時に室外熱交換器１９が常に凝縮器となり、室内熱交換器２１が常に蒸発器となって、冷媒が実線矢印のごとく流れる。
【００３７】
また、この空気調和装置３０の制御装置３２は、制御装置１３と同様な構造であり、且つ四方弁１８の制御を除き制御装置１３と同様に機能するが、その構造及び一部の機能を、制御装置１３との重複部分も含め以下に説明する。
【００３８】
制御装置３２は、冷・暖房切換可能機種と冷房専用機種に共用な制御基板（不図示）を用いて構成され、この制御基板に設けられた切換手段としての切換スイッチ（不図示）が空気調和装置３０の据え付け時に操作されることにより、当該制御基板が上記いずれか一方の機種用に設定される。この空気調和装置３０の場合には、切換スイッチの操作により、制御基板は冷房専用機種用に設定されるべきである。
【００３９】
そして、この空気調和装置３０には、運転開始後所定時間経過した時点、例えばサーモＯＮ運転開始後約１分経過した時点における、室内熱交換器温度センサ２７の温度検出値と室外熱交換器温度センサ２６の温度検出値とを比較して、現在の空気調和装置３０の運転の適否を判断する。つまり、空気調和装置３０の運転時には、室内熱交換器温度センサ２７の温度検出値が室外熱交換器温度センサ２６の温度検出値よりも低いかまたは等しいときにのみ空気調和装置３０の現在の運転が正常であると判断する。
【００４０】
例えば、この空気調和装置３０の制御装置３２は、制御基板が冷房専用機種用に適正に設定されている場合、冷房運転指令を入力したとき、サーモＯＮ運転開始後約１分経過した時点における、室内熱交換器温度センサ２７の温度検出値が室外熱交換器温度センサ２６の温度検出値よりも高いときに、現在の空気調和装置３０の運転が異常であると判断する。このとき、制御装置３２は、空気調和装置３０の運転を停止して警報を出力したり、空気調和装置３０をサーモＯＦＦ運転として、制御装置３２の制御基板などの部品の不良、または室外ユニット３１と室内ユニット１２間を流れる冷媒量の不足等を修正させる動作を使用者に促す。
【００４１】
また、例えば、この空気調和装置３０の制御装置３２は、制御基板が誤って冷・暖房切換可能機種用に設定されている場合で、暖房運転指令を入力したときには、この指令に基づき空気調和装置３０を暖房運転させようとする。しかし、空気調和装置３０は構造上冷房サイクル運転しか実施できないので、例えばサーモＯＮ運転開始後約１分経過した時点において、室内熱交換器温度センサ２７の温度検出値が室外熱交換器温度センサ２６の温度検出値よりも低くなってしまう。このため、制御装置３２は、室内熱交換器温度センサ２７の温度検出値が室外熱交換器温度センサ２６の温度検出値よりも高いかまたは等しくならないので、現在の空気調和装置３０の運転が異常であると判断し、空気調和装置３０の運転を停止して警報を出力したり、空気調和装置３０をサーモＯＦＦ運転して、制御基板の機種設定の不一致の修正を使用者に促す。
【００４２】
従って、この第二の実施の形態によれば、次の効果▲２▼及び▲３▼を奏する。
【００４３】
▲２▼制御装置３２は、制御基板における機種設定が適正である場合には、冷房運転指令を入力したとき、例えばサーモＯＮ運転開始後約１分経過した時点における、室内熱交換器温度センサ２７による温度検出値と室外熱交換器温度センサ２６による温度検出値とを比較して、現在の空気調和装置３０の運転の適否を判断することから、室外ユニット３１の制御基板などの部品の不良、或いは室外ユニット３１と室内ユニット１２間を流れる冷媒量の不足などの冷凍サイクルの異常を迅速に検知することができる。
【００４４】
▲３▼制御装置３２は、制御基板における機種設定が不適正である場合には、冷房運転指令を入力して、この指令を受け入れたとき、例えばサーモＯＮ運転開始後約１分経過した時点における、室内熱交換器温度センサ２７による温度検出値と室外熱交換器温度センサ２６による温度検出値とを比較して、現在の空気調和装置３０の運転の適否を判断することから、冷・暖房切換可能機種と冷房専用機種に共用な制御基板における機種設定の過誤を迅速に検出できる。
【００４５】
［Ｃ］第三の実施の形態
この第三の実施の形態では、空気調和装置が暖房専用機種の場合であり、室外熱交換器１９が常に蒸発器、室内熱交換器２１が常に凝縮器として機能する。この空気調和装置における制御装置においても、冷・暖房切換可能機種と暖房専用機種に共用な制御基板を採用し、この制御基板の切換スイッチの設定により、当該制御基板を暖房専用機種用に設定している。ところが、この空気調和装置における制御装置の制御基板が、冷・暖房切換可能機種用に過誤設定される場合がある。
【００４６】
この場合、制御装置は、冷房運転指令を受け入れて空気調和装置を例えばサーモＯＮ運転させることがある。しかし、この空気調和装置は暖房運転しか実施できないので、例えばサーモＯＮ運転開始後約１分経過した時点における、室内熱交換器温度センサ２７の温度検出値が室外熱交換器温度センサ２６の温度検出値よりも低いかまたは等しくならず、高くなってしまう。このようなときには、制御装置は、現在の運転が異常であると判断し、警報を出力して空気調和装置の運転を停止するか、または空気調和装置をサーモＯＦＦ運転させて、使用者に制御基板の機種設定の不適正の修正を促す。
【００４７】
また、この空気調和装置において、制御装置における制御基板の設定が適正に行われている場合、例えば暖房サーモＯＮ運転開始後約１分経過した時点における、室内熱交換器温度センサ２７の温度検出値が室外熱交換器温度センサ２６の温度検出値よりも低い場合にはこの運転が異常であると判断し、警報を出力して空気調和装置を停止させるか、または空気調和装置をサーモＯＦＦ運転させて、各種部品の不良や冷媒量不足等の修正を使用者に促す。
【００４８】
以上、本発明を上記実施の形態に基づいて説明したが、本発明はこれに限定されるものではない。
【００４９】
例えば、制御装置１３及び３２は、制御基板が冷・暖房切換可能機種と冷房専用機種に共用のものであったが、それぞれに専用な機種の制御基板を用いて構成されるものでもよい。この場合には、制御基板の機種設定の不適正による空気調和装置の運転異常は起こりえず、従って、制御装置は、各種部品の不良や冷媒量不足に基づく運転異常のみを判断する。
【００５０】
また、制御装置１３、３２は、それぞれ、室外ユニット１１と室内ユニット１２に個別に設置されて相互に送受信可能に構成された室外ユニット側空気調和装置と室内ユニット側空気調和装置とに分離されていてもよい。この場合、室外ユニット側制御装置が、電動膨張弁２２及び室内ファン２３の制御を除き、本発明の制御装置１３、３２の構造及び機能を果たす。
【００５１】
【発明の効果】
以上のように、請求項１に記載の発明に係る空気調和装置によれば、室外ユニットには、上記室外熱交換器内を流れる冷媒の温度を検出する室外熱交換器温度センサが設置され、上記室内ユニットには、上記室内熱交換器内を流れる冷媒の温度を検出する室内熱交換器温度センサが設置され、上記制御装置は、冷・暖房切換可能機種と冷房専用機種に共用な制御基板を備え、この制御基板に設けられた切換手段により、この制御基板が上記いずれか一方の機種用に設定され、更に、冷房専用機種の空気調和装置の場合、上記制御装置は、暖房運転指令を入力したとき、運転開始後所定時間経過した時点における、室内熱交換器温度センサによる温度検出値が室外熱交換器温度センサによる温度検出値よりも低いときに、現在の運転が異常であると判断することから、異常の検出時には、空気調和装置の運転を停止して警報を出力し、あるいは、空気調和装置をサーモＯＦＦ運転させるとともに、冷・暖房切換可能機種と冷房専用機種に共用な制御基板における機種設定の過誤を含む前記異常を使用者に知らせることができる。
【００５２】
請求項２に記載の発明に係る空気調和装置によれば、室外ユニットには、上記室外熱交換器内を流れる冷媒の温度を検出する室外熱交換器温度センサが設置され、上記室内ユニットには、上記室内熱交換器内を流れる冷媒の温度を検出する室内熱交換器温度センサが設置され、冷・暖房切換可能機種の空気調和装置の場合、上記制御装置は、冷房運転指令を入力したとき、運転開始後所定時間経過した時点における、室内熱交換器温度センサによる温度検出値が室外熱交換器温度センサによる温度検出値よりも高いときに、現在の運転が異常であると判断することから、異常の検出時には、空気調和装置の運転を停止して警報を出力し、あるいは、空気調和装置をサーモＯＦＦ運転させて異常を迅速に使用者に知らせることができる。
また、請求項３記載の発明にかかる空気調和装置によれば、室外ユニットには、上記室外熱交換器内を流れる冷媒の温度を検出する室外熱交換器温度センサが設置され、上記室内ユニットには、上記室内熱交換器内を流れる冷媒の温度を検出する室内熱交換器温度センサが設置され、冷・暖房切換可能機種の空気調和装置の場合、上記制御装置は、暖房運転指令を入力したとき、運転開始後所定時間経過した時点における、室内熱交換器温度センサによる温度検出値が室外熱交換器温度センサによる温度検出値よりも低いときに、現在の運転が異常であると判断することから、異常の検出時には、空気調和装置の運転を停止して警報を出力し、あるいは、空気調和装置をサーモＯＦＦ運転させて異常を迅速に使用者に知らせることができる。
また、請求項４記載の発明に係る空気調和装置によれば、室外ユニットには、上記室外熱交換器内を流れる冷媒の温度を検出する室外熱交換器温度センサが設置され、上記室内ユニットには、上記室内熱交換器内を流れる冷媒の温度を検出する室内熱交換器温度センサが設置され、冷房専用機種の空気調和装置の場合、上記制御装置は、冷房運転指令を入力したとき、運転開始後所定時間経過した時点における、室内熱交換器温度センサによる温度検出値が室外熱交換器温度センサによる温度検出値よりも高いときに、現在の運転が異常であると判断することから、異常の検出時には、空気調和装置の運転を停止して警報を出力し、あるいは、空気調和装置をサーモＯＦＦ運転させて異常を迅速に使用者に知らせることができる。
【図面の簡単な説明】
【図１】本発明に係る空気調和装置の第一の実施の形態が適用された冷・暖房切換可能機種の空気調和装置を示す冷媒回路図である。
【図２】本発明に係る空気調和装置の第二の実施の形態が適用された冷房専用機種の空気調和装置を示す冷媒回路図である。
【符号の説明】
１０  空気調和装置
１１  室外ユニット
１２  室内ユニット
１３  制御装置
１９  室外熱交換器
２１  室内熱交換器
２６  室外熱交換器温度センサ
２７  室内熱交換器温度センサ
３０  空気調和装置
３１  室外ユニット
３２  制御装置
【図１】
0004155680.tif 000002
【図２】
0004155680.tif 000003